(57)【特許請求の範囲】
【請求項１】
化粧用コンパクトに固形化粧料を補充するための化粧料詰め替え容器であって、
開口部、底面及び内周面を有する収容凹部と、該収容凹部の前記底面上に配されている剥離紙と、該収容凹部内の前記剥離紙上に収容されている固形化粧料とを有し、
前記収容凹部の底部に、前記固形化粧料を前記剥離紙と一体に押し出すための貫通孔が形成されている、化粧料詰め替え容器。
【請求項２】
前記収容凹部は、前記固形化粧料が前記内周面に直接接触している、請求項１に記載の化粧料詰め替え容器。
【請求項３】
前記収容凹部の開口部の位置を、前記化粧用コンパクトの化粧料収容部の位置に位置合わせするための位置合わせ手段を備えている、請求項１又は２に記載の化粧料詰め替え容器。
【請求項４】
前記固形化粧料が油性固形化粧料である、請求項１〜３の何れか１項に記載の化粧料詰め替え容器。
【請求項５】
請求項１〜４の何れか１項に記載の化粧料詰め替え容器により化粧用コンパクトに固形化粧料を補充する、化粧料の補充方法であって、
前記化粧料詰め替え容器の収容凹部を前記化粧用コンパクトの化粧料収容部に被せ、該収容凹部の裏側から前記貫通孔に指又は道具を挿入し押圧して、該収容凹部内の前記固形化粧料を前記剥離紙とともに該化粧料収容部に移動させるステップと、
前記化粧料収容部に移動させた前記固形化粧料を前記剥離紙の上から押圧して該化粧料収容部の内面に密着させるステップと、
前記化粧料収容部の内面に密着させた前記固形化粧料から前記剥離紙を剥離するステップとを有する化粧料の補充方法。
【発明の詳細な説明】
【技術分野】
【０００１】
本発明は、化粧用コンパクトに固形化粧料を補充するための化粧料詰め替え容器に関する。
【背景技術】
【０００２】
化粧用コンパクトは、一般に、化粧料の収容部と化粧料を塗布する塗布具の収容部とを備えた携帯用のケースであり、化粧料を使いきった場合には、化粧料を補充して繰り返し使用される（特許文献１参照）。
化粧料の補充方法としては、化粧料が収容されている薄皿容器を、化粧用コンパクトのケース本体に脱着自在に取り付けておき、化粧料を使いきった場合には、その薄皿容器を取り外し、化粧料が収容されている別の薄皿容器に交換することが行われている。
しかし、化粧料が、化粧用コンパクトに設けた収容凹部や化粧用コンパクトに脱着不可能に固定された容器に直接充填されているものもあり、その場合、化粧料を使い切った場合に化粧料を補充するのに手間がかかるという問題があった。
【先行技術文献】
【特許文献】
【０００３】
【特許文献１】特開２００５−３４２１７１号公報
【発明の概要】
【発明が解決しようとする課題】
【０００４】
したがって本発明は、従来技術が有する解決課題を解決し得る化粧料詰め替え容器に関する。
【課題を解決するための手段】
【０００５】
本発明は、化粧用コンパクトに固形化粧料を補充するための化粧料詰め替え容器であって、開口部、底面及び内周面を有する収容凹部と、該収容凹部の前記底面上に配されている剥離紙と、該収容凹部内の前記剥離紙上に収容されている固形化粧料とを有し、前記収容凹部の底部に、前記固形化粧料を前記剥離紙と一体に押し出すための貫通孔が形成されている、化粧料詰め替え容器を提供するものである。
【０００６】
また本発明は、前記の化粧料詰め替え容器により化粧用コンパクトに固形化粧料を補充する、化粧料の補充方法であって、前記化粧料詰め替え容器の収容凹部を前記化粧用コンパクトの化粧料収容部に被せ、該収容凹部の裏側から前記貫通孔に指又は道具を挿入し押圧して、該収容凹部内の前記固形化粧料を前記剥離紙とともに該化粧料収容部に移動させるステップと、前記化粧料収容部に移動させた前記固形化粧料を前記剥離紙の上から押圧して該化粧料収容部の内面に密着させるステップと、前記化粧料収容部の内面に密着させた前記固形化粧料から前記剥離紙を剥離するステップとを有する化粧料の補充方法を提供するものである。
【発明の効果】
【０００７】
本発明の化粧料詰め替え容器及び化粧料の補充方法によれば、固形化粧料を、化粧料が収容された容器毎交換しない場合であっても、固形化粧料を、化粧用コンパクトに設けた収容凹部に容易に補充することができる。
【図面の簡単な説明】
【０００８】
【図１】図１は、本発明の化粧料詰め替え容器により固形化粧料を補充する対象となる化粧用コンパクトの一例を示す斜視図である。
【図２】図２（ａ）は、図１に示す化粧用コンパクトの第１の化粧料収容部及びそれを有する第１容器を示す斜視図であり、図２（ｂ）は、図２（ａ）のＩＩ−ＩＩ線断面図である。
【図３】図３（ａ）は、本発明の化粧料詰め替え容器の一実施形態を示す斜視図であり、図３（ｂ）は、図３（ａ）のＩＩＩ−ＩＩＩ線断面図である。
【図４】図４（ａ）〜図４（ｃ）は、図２（ａ）及び図２（ｂ）に示す化粧料詰め替え容器の製造方法の一例を示す図で、図４（ａ）は、収容凹部に、剥離紙及び固形化粧料を収容する前の容器本体を示す図、図４（ｂ）は、収容凹部の底面上に剥離紙を敷いた状態、図４（ｃ）は、その剥離紙上に固形化粧料を充填した状態を示す図である。
【図５】図５（ａ）〜図５（ｃ）は、図３に示す化粧料詰め替え容器を用いて、固形化粧料を、図１に示す化粧用コンパクトの第１の化粧料収容部に化粧料を充填する手順の前半を示す工程図である。
【図６】図６（ａ）〜図６（ｃ）は、図３に示す化粧料詰め替え容器を用いて、固形化粧料を、図１に示す化粧用コンパクトの第１の化粧料収容部に固形化粧料を充填する手順の後半を示す工程図である。
【図７】図７は、図３に示す化粧料詰め替え容器の他の形態を示す断面図である。
【図８】図８は、図３に示す化粧料詰め替え容器の剥離紙の他の形態を示す説明図で、図８（ａ）は収容凹部の底面上に剥離紙を敷いた状態、図８（ｂ）は剥離紙上に固形化粧料を充填して模様を浮き上がらせた状態を示す図である。
【図９】図９は、本発明の化粧料詰め替え容器の他の実施形態の説明図である。
【図１０】図１０は、本発明の化粧料詰め替え容器の収容凹部の他の実施形態の説明図で、図１０（ａ）は斜視図、図１０（ｂ）は断面図である。
【発明を実施するための形態】
【０００９】
以下、本発明をその好ましい一実施形態に基づき説明する。
図１に示す化粧用コンパクト１０は、本発明の化粧料詰め替え容器により固形化粧料を補充する対象となる化粧用コンパクトの一例を示すものである。
化粧用コンパクト１０は、図１に示すように、第１の化粧料収容部４、第２の化粧料収容部４Ａ、第３の化粧料収容部４Ｂ及び塗布具収容部５を備えたケース本体６と、ケース本体６に回動自在に結合された蓋体７と、化粧料の蓋体７への付着を防止する仕切りシート８とを備えている。
ケース本体６は、第１の容器４１、第２の容器４２、及びそれらが内部に収容されて固定されている容器収容部６１を有している。前述した第１の化粧料収容部４は、図２に示す第１容器４１に形成された凹部４からなり、前述した第２の化粧料収容部４Ａ及び第３の化粧料収容部４Ｂは、第２容器４２に形成された第１凹部４Ａ及び第２凹部４Ｂからなる。
【００１０】
第１容器４１は、図１及び図２に示すように、偏平な形状を有しており、第１の化粧料収容部４として機能する凹部４は、ケース本体６の上面側に開口する開口部４３、底面４４及び内周面４５を有している。第１容器４１及び第１の化粧料収容部４は、蓋体７の回動軸６２と平行な横方向Ｘに長い形状を有している。
第２容器４２も、偏平な形状を有しており、第２の化粧料収容部４Ａとして機能する第１凹部４ａ及び第３の化粧料収容部４Ｂとして機能する第２凹部４ｂは、図示しないが、それぞれ、ケース本体６の上面側に開口する開口部、底面及び内周面を有している。
第１容器４１及び第２容器４２は、ケース本体６の容器収容部６１内に、蓋体７が接続された奥側から手前側に向かって、この順に並べて収容されている。第１容器４１及び第２容器４２は、それぞれの底部が、容器収容部６１の底面に接着剤等の任意の接合手段を用いて脱着不可能に固定されている。また、仕切りシート８は、その一部が、第１容器４１及び第２容器４２と容器収容部６１の底面又は内周面との間に固定されている。
【００１１】
第１〜第３の化粧料収容部４，４Ａ，４Ｂ内には、アイシャドウ、口紅、コンシーラ、アイブロウ、アイライナー、又はチーク等の固形化粧料４６が適宜の組み合わせで収容されている。塗布具収容部５には、第１〜第３の化粧料収容部４、４Ａ，４Ｂに収容されている化粧料４６の種類に応じて、それらの塗布に適切な一又は複数の公知の塗布具５１が収容されている。
【００１２】
図１に示す化粧用コンパクト１０は、通常の化粧用コンパクト１０と同様に、塗布具５１又は手指に固形化粧料４６を付着させ、それを顔の各部に付着させて化粧に使用される。
そして、第１の化粧料収容部４内の固形化粧料４６を使い切ったときには、図３に示す化粧料詰め替え容器１を用いて、第１の化粧料収容部４内に固形化粧料４６を補充する。それにより、その固形化粧料４６を用いた化粧を再び行うことができる。固形化粧料４６の補充は、所望の回数行うことができる。仕切りシート８を形成するシートは、合成樹脂製のシートであることが好ましく、例えば、ポリエチレンテレフタレート、ポリプロピレン、ポリカーボネート等の樹脂からなるものや、これらの樹脂などで複数層に形成したもの等を用いることができる。また、仕切りシート８は、不透明のものであっても良いが、透明であることが好ましく、更には文字、記号、絵等の情報が印刷されたものが好ましい。
【００１３】
図３に示す化粧料詰め替え容器１は、本発明の化粧料詰め替え容器の一実施形態であり、前述した化粧用コンパクト１０の第１の化粧料収容部４内の固形化粧料４６を使い切ったときに、第１の化粧料収容部４内に、新たな固形化粧料４６を補充するための化粧料詰め替え容器である。
化粧料詰め替え容器１は、開口部１３、底面１４及び内周面１５を有する収容凹部１２を有している。また化粧料詰め替え容器１は、図３（ｂ）及び図４に示すように、収容凹部１２の底面上に配されている剥離紙２と、収容凹部１２内の剥離紙２上に収容されている固形化粧料４６とを有している。
【００１４】
より詳細には、化粧料詰め替え容器１は、第１容器４１と同様に偏平な形状を有し、収容凹部１２を有する容器本体１１を有している。容器本体１１の形成材料は、合成樹脂、金属、セラミック、これらの複合体等、特に制限されないが、製造コスト等の観点から、合成樹脂製であることが好ましい。図４は、化粧料詰め替え容器１の製造方法の一例を示す図で、図４（ａ）は、収容凹部１２に、剥離紙２及び固形化粧料４６を収容する前の容器本体１１を示す図、図４（ｂ）は、収容凹部１２の底面１４上に剥離紙２を敷いた状態、図４（ｃ）は、その剥離紙２上に固形化粧料４６を充填した状態を示す図である。
また、化粧料詰め替え容器１の収容凹部１２は、その平面視形状が、第１容器４１の第１の化粧料収容部として機能する凹部４と略一致している。化粧料詰め替え容器１は、図５に示すように、収容凹部１２と凹部４の位置を一致させて、第１の化粧料収容部４に重ね合わせたときに、収容凹部１２の内周面１５と凹部４の内周面４５とが連続する内周面を形成するか、又は収容凹部１２の内周面１５が、凹部４の内周面４５よりわずかに内側となることが好ましい。
【００１５】
また、化粧料詰め替え容器１は、収容凹部１２の底部に、図３（ｂ）及び図４（ａ）に示すように、貫通孔１６が形成されている。貫通孔１６は、図５（ｂ）及び図５（ｃ）に示すように、収容凹部１２内に収容されている固形化粧料４６を、収容凹部１２内から、剥離紙２と一体に押し出すことを可能とするものである。貫通孔１６は、図５（ｂ）及び図５（ｃ）に示すように、ヒトの手の指３による押し出しを可能とするものであることが好ましいが、先端を丸めた棒等の適宜の押し出し具を用いて手の力で押し出すことを可能とするものであっても良い。また貫通孔１６の数は、１つに限定されず、図７に示すように、複数個とすることもできる。図７には、化粧料詰め替え容器１の長手方向に３つの貫通孔を示したが、幅方向に複数の貫通孔を設けても良い。図２、図５及び図６に示す第１容器４１は、実際には、ケース本体６の容器収容部内に固定されている。
【００１６】
指３による押し出しを容易にする観点から、貫通孔１６は、開口部の平面積が、好ましくは０．５ｃｍ２以上、より好ましくは０．８ｃｍ２以上であり、また好ましくは１５ｃｍ２以下、より好ましくは１０ｃｍ２以下であり、また好ましくは０．５ｃｍ２以上１５ｃｍ２以下、より好ましくは０．８ｃｍ２以上１０ｃｍ２以下である。
また、収容凹部１２が、図４（ａ）に示すように、長手方向Ａ及び幅方向Ｂを有する場合、貫通孔１６は、収容凹部１２の長手方向Ａに沿う長さＬ２が、幅方向Ｂに沿う長さＬ４よりも長いことが好ましい。また、貫通孔１６は、収容凹部１２の長手方向Ａに沿う長さＬ２が、収容凹部１２の長手方向Ａの長さＬ１の２０％以上９８％以下が好ましく、５０％以上９０％以下がより好ましい。また貫通孔１６は、収容凹部１２の幅方向Ｂに沿う長さＬ４が、収容凹部１２の幅方向Ｂの長さＬ３の２５％以上９５％以下が好ましく、３０％以上９０％以下がより好ましい。
【００１７】
化粧用コンパクト１０の第１の化粧料収容部４内の固形化粧料４６を使い切った後に、図３に示す化粧料詰め替え容器１を用いて、第１の化粧料収容部４内に、新たな固形化粧料４６を補充する好ましい手順（本発明の化粧料の補充方法の一実施態様）について説明する。
先ず、図５（ａ）に示すように、固形化粧料４６を使い切った後の凹部４上に、化粧料詰め替え容器１を重ねる。このとき、化粧料詰め替え容器１の収容凹部１２の開口部１３の位置を凹部４の位置とを一致させる。
【００１８】
本実施形態の化粧料詰め替え容器１は、収容凹部１２の開口部の位置を、化粧用コンパクト１０の第１の化粧料収容部４の位置に位置合わせするための位置合わせ手段を備えており、この位置合わせを高精度且つ容易に行うことができる。具体的には、図２（ａ）及び図２（ｂ）に示すように、化粧用コンパクト１０の第１の化粧料収容部４の開口部４３の周囲に、開口面に対して垂直方向に突出する凸条部４８が開口部４３の周縁に沿って環状に形成されている一方、収容凹部１２の開口部１３の周囲に、その凸条部４８と嵌合する凹条溝１８が、開口部１３の周縁に沿って環状に形成されており、化粧料詰め替え容器１を重ねる際に、凸条部４８を凹条溝１８に嵌合又は挿入させることにより、高精度の位置合わせが可能である。凹条溝１８の平面視形状と凸条部４８の平面視形状とは一致している。
なお、位置合わせ手段としては、本実施形態のものに限られず、化粧料収容部４の開口部４３の周囲に形成した凹条溝や凹部に嵌合又は挿入させたときに、収容凹部１２と第１の化粧料収容部４の位置とが一致する凸条部や凸部を、化粧料詰め替え容器１の収容凹部１２の開口部の周囲等に設けても良い。
【００１９】
次いで、図５（ｂ）に示すように、化粧料詰め替え容器１の収容凹部１２を化粧用コンパクトの化粧料収容部４に被せた状態において、収容凹部１２の裏側から貫通孔１６に指３又は道具を挿入し押圧して、図５（ｃ）に示すように、収容凹部１２内の固形化粧料４６を剥離紙２とともに第１の化粧料収容部４に移動させる。
そして、固形化粧料４６を、第１の化粧料収容部４に移動させたら、今度は、図６（ａ）に示すように、固形化粧料４６を剥離紙２上から押圧して、第１の化粧料収容部４の内面に密着させる。十分に密着させた後、図６（ｂ）に示すように、剥離紙２を剥がすと、第１の化粧料収容部４への固形化粧料４６の充填が完了する。
【００２０】
このように、本発明の一実施形態である化粧料詰め替え容器１及びそれを用いた固形化粧料の充填方法によれば、固形化粧料４６を、固形化粧料４６が収容された容器毎交換しない場合であっても、固形化粧料４６を、化粧用コンパクトに設けた収容凹部に容易に補充することができる。
【００２１】
上述した化粧料詰め替え容器１に収容されている固形化粧料は、固形化粧料であるが、固形化粧料が油性固形化粧料である場合に一層効果が顕著となる。
油性固形化粧料とは、連続層が油剤である化粧料中に粉体が分散しており、２５℃にて流動性を有しないものであり、好ましくは、油性固形化粧料の全量中に油剤を３０質量％以上９５質量％以下、より好ましくは４０質量％以上８５質量％以下含有するものである。
油剤としては、パラフィン、セレシン、合成炭化水素ワックス、フィッシャートロプシュワックス、マイクロクリスタリンワックス、ポリエチレンワックス、エチレンプロピレンコポリマー、キャンデリラロウ、ミツロウ、カルナバロウ等のワックス；パルミチン酸デキストリン、ステアリン酸イヌリン、１２−ヒドロキシステアリン酸等の油性ゲル化剤；（スチレン／ブタジエン）コポリマー、（スチレン／イソプレン）コポリマー、（エチレン／プロピレン／スチレン）コポリマー、（ブチレン／エチレン／スチレン）コポリマー等の増粘剤；ポリデセン、水添ポリイソブテン、トリポリヒドロキシステアリン酸ジペンタエリスリチル、ペンタイソステアリン酸ジペンタエリスリチル、ワセリン、オレイン酸フィトステリル、ダイマージリノール酸水添ヒマシ油、テトラ（ベヘン酸／安息香酸／エチルヘキサン酸）ペンタエリスリチル、ダイマージリノール酸（フィトステリル／イソステアリル／セチル／ステアリル／ベヘニル）、ラウロイルグルタミン酸ジ（フィトステリル／オクチル／ベヘニル）等のペースト油；スクワラン、トリ（カプリル・カプリン）酸グリセリル、オクチルドデカノール、ラウロイルグルタミン酸ジ（フィトステリル／オクチルドデシル）、ポリヒドロキシステアリン酸オクチル、ジメチルポリシロキサン、メチルフェニルポリシロキサン等の液状油性成分等が挙げられる。前述した各種の油剤は、１種を単独で又は２種以上を組み合わせて用いることができる。
また、油性固形化粧料は、油性固形化粧料の全量中に粉体を５質量％以上７０質量％以下含有することが好ましく、より好ましくは１５質量％以上６０質量％以下である。粉体としては、化粧料に従来用いられている各種のもの等を特に制限なく用いることができ、無機粉体でも有機粉体でも良く、無機粉体と有機粉体とを併用しても良い。また粉体は、板状の粉体でも粒状の粉体でも良い。
【００２２】
剥離紙２は、収容凹部１２内に充填した固形化粧料４６が、収容凹部１２の底面１４に密着して、該固形化粧料４６を収容凹部１２から押し出すことが困難となることを防止するとともに、剥離紙２上から押圧して固形化粧料４６を、第１の化粧料収容部４の内面に密着させた後、その固形化粧料４６から剥離することが可能であるものを広く用いることができる。剥離紙２としては、ポリエチレン、ポリプロピレン等の合成樹脂フィルム、グラシン紙、パラフィン紙等の紙製の基材シート、及びそれらの両面又は片面にシリコーン油やテフロン（登録商標）油等の離型剤を塗工したもの等が挙げられ、更にはこれらを積層して用いることもできる。これらを積層して用いる場合には、例えば、表面にグラシン紙を配し、裏面には、強度を向上させるために、普通紙やポリプロピレンフィルム等を配しても良い。
【００２３】
また、図８（ａ）及び図８（ｂ）に示すように、剥離紙２の表面に凹凸模様２ａを設け、固形化粧料４６の表面に剥離紙２の凹凸模様２ａが転写されるようにしてもよい。その場合、化粧料収容部４内に新たな固形化粧料４６を補充した際に、充填された固形化粧料４６の表面に凹凸模様４６ａが現れ、意匠性が向上する。
【００２４】
上述した化粧料詰め替え容器１においては、剥離紙２として、図４（ｂ）に示すように、収容凹部１２の底面と同形状の本体部分２１と、該本体部分２１の周囲の相対向する２箇所から延出した摘み片２２を有するものを用いている。摘み片２２は、図４（ｂ）及び図４（ｃ）に示すように、収容凹部１２に充填した固形化粧料４６の下方において、収容凹部１２の底面１４の方に折り込まれた状態で配されている。斯かる摘み片２２を、収容凹部１２の底面１４の方に折り込ませておくことで、第１の化粧料収容部４内に新たな固形化粧料４６を補充した際に、本体部分２１の上面に摘み片２２が現れる。そのため、図６（ｂ）に示すように、収容凹部１２内に充填した固形化粧料４６を剥離紙２上から押圧して第１の化粧料収容部４の内面に密着させた後、剥離紙２を剥離することが容易となる。図４（ｂ）に示す剥離紙２は、２つの摘み片２２を有していたが、摘み片２２を一つのみ設けることもできる。
【００２５】
また、上述した化粧料詰め替え容器１における収容凹部１２においては、図５に示すように、固形化粧料４６が、収容凹部１２の内周面１５に直接接触しているが、シリコーン油やテフロン（登録商標）油等の離型剤を収容凹部１２の内周面１５に塗布することで、収容凹部１２の裏側から貫通孔１６に指３又は道具を挿入し押圧して、収容凹部１２内の固形化粧料４６を剥離紙２とともに第１の化粧料収容部４に移動する際の押し出しが容易になる。固形化粧料４６と収容凹部１２の底面との間には剥離紙２を介在させる一方、収容凹部１２の内周面１５には、その周方向の全域又は一部に、固形化粧料４６が直接接触する部分を設けることで、図５（ａ）に示すように、化粧料詰め替え容器１を、収容凹部１２の開口部１３を下方に向けて、化粧料収容部４に被せるまでの間に、固形化粧料４６が落下したり、一部が剥離し第１の化粧料収容部４内にきれいに入らなくなったりすることを効果的に防止することができる。
【００２６】
以上、本発明をその好ましい実施形態を示して説明したが、本発明は、上記の実施形態に制限されることなく種々変更可能である。
例えば、上述した化粧料詰め替え容器１は、位置合わせ手段として、収容凹部１２の周囲に、第１容器４１における第１の化粧料収容部４の周囲に設けられた凸条部４８に嵌合する凹条溝１８が形成されていたが、化粧料詰め替え容器１に設ける位置合わせ手段は、固形化粧料を充填する化粧料収容部４から離れた場所に形成された凹部や凸部等と係合や嵌合するものであっても良い。例えば、図９に示す化粧料詰め替え容器１Ａは、長手方向に沿って延びる一対の側壁部９１，９２のうちの一方の側壁部９２から水平に張り出した張り出し部９３の先端に、該張り出し部９３に対して垂直な突片９４が形成されており、該突片９４を、蓋体７に設けられた接続部材７１とケース本体６との間に形成されているスリット状の隙間９５に挿し込み、その状態で、化粧料詰め替え容器１Ａを第１の化粧料収容部４上に配置することにより、化粧料詰め替え容器１Ａの収容凹部１２の開口部１３の位置と第１の化粧料収容部４の位置とが丁度重なるようになっている。化粧料詰め替え容器１Ａにおいては、その突片９４が、位置合わせ手段である。
【００２７】
また、上述した化粧料詰め替え容器１，１Ａは、化粧用コンパクト１０の第１の化粧料収容部４に、固形化粧料４６を充填するものであったが、化粧用コンパクト１０の第２の化粧料収容部４Ａ又は第３の化粧料収容部４Ｂに、固形化粧料４６を充填するものであっても良い。また、化粧用コンパクト１０に複数の化粧料収容部が存在する場合、そのそれぞれに対応して化粧料詰め替え容器１を用意しても良いが、複数の化粧料収容部のうち一部の化粧料収容部に対して、本発明の化粧料詰め替え容器による固形化粧料の充填を行い、残りの化粧料収容部には、本発明の化粧料詰め替え容器を使用しない方法や本発明の充填方法ではない方法で化粧料を充填することもできる。
【００２８】
本発明の化粧料詰め替え容器は、例えば、図１０（ａ）及び図１０（ｂ）に示すように、収容凹部１２を複数有していても良い。図１０（ａ）は、底部に貫通孔を有する容器本体１１に形成した、底部に貫通孔を有する１つの凹部内に仕切りを設けて複数の収容凹部を形成した例であり、図１０（ｂ）は、収容凹部１２を複数個連結したものである。
複数個の収容凹部１２に、固形化粧料４６を分割して充填し、その固形化粧料４６を収容凹部１２ごとに設けた貫通孔１６を介して押し出すことで、化粧料収容部４内の足らなくなった部分だけに、随時固形化粧料４６を移動することができる。各収容凹部１２内には、色違い等の異なる種類の固形化粧料４６を入れても良い。
収容凹部１２及び化粧料を充填する化粧料収容部４の平面視形状は、円形、楕円形、長方形、正方形等、半円形、円弧形等、任意の形状とすることができる。
【００２９】
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００３０】
１０  化粧用コンパクト
１，１Ａ  化粧料詰め替え容器
１１  容器本体
１２  収容凹部
１３  開口部
１４  底面
１５  内周面
１６  貫通孔
１８  凹条溝（位置合わせ手段）
２  剥離紙
２１  本体部分
２２  摘み片
３  指
４  第１の化粧料収容部（化粧料収容部）
４１  第１の容器
４３  開口部
４４  底面
４５  内周面
４６  固形化粧料
５  塗布具収容部
６  ケース本体
７  蓋体
８  仕切りシート
４８  凸条部
【図１】
0006670663.tif 000002
【図２】
0006670663.tif 000003
【図３】
0006670663.tif 000004
【図４】
0006670663.tif 000005
【図５】
0006670663.tif 000006
【図６】
0006670663.tif 000007
【図７】
0006670663.tif 000008
【図８】
0006670663.tif 000009
【図９】
0006670663.tif 000010
【図１０】
0006670663.tif 000011